(57)【要約】【課題】従来よりも効果的に液晶パネルの見た目の応答速度を向上させる。【解決手段】表示装置（１）において、表示制御部（１０）は、ＬＣＤ（２１）およびバックライト（２２）を制御する。表示制御部（１０）は、ＬＣＤ（２１）の光透過率を変化させている時間帯において、バックライト（２２）を、第１レベルから第Ｎ（Ｎは２以上の整数）レベルまでのＮ段階の発光強度レベルを有する点灯パターンで点灯させる。【選択図】図１
2019101368.tif 000002
【特許請求の範囲】
【請求項１】
液晶パネルと、
バックライトと、
上記液晶パネルおよび上記バックライトを制御する制御装置と、を備えており、
上記制御装置は、上記液晶パネルの光透過率を変化させている時間帯において、上記バックライトを、第１レベルから第Ｎ（Ｎは２以上の整数）レベルまでのＮ段階の発光強度レベルを有する点灯パターンで点灯させることを特徴とする表示装置。
【請求項２】
上記バックライトは、当該バックライトを均一に点灯させるように配置された複数の光源を有しており、
上記制御装置は、上記液晶パネルの表示タイミングを制御する液晶パネル制御信号に基づいて、上記複数の光源を制御する光源制御信号を生成し、
上記制御装置は、上記光源制御信号に基づいて上記複数の光源を点灯させることにより、上記バックライトを上記点灯パターンで点灯させることを特徴とする請求項１に記載の表示装置。
【請求項３】
上記複数の光源は、上記バックライトを均一に点灯させるようにそれぞれ配置された第１光源グループから第Ｎ光源グループまでのＮ通りの光源グループに区分され、
上記第１レベルを、Ｎ段階のうちの最低の発光強度レベルとして、
上記第Ｎレベルを、Ｎ段階のうちの最高の発光強度レベルとして、
上記第１レベルは、Ｎ通りの光源グループのうちの所定の１つの光源グループのみを点灯させた場合の上記バックライトの発光強度レベルであり、
上記第Ｎレベルは、Ｎ通りの光源グループのうちの全ての光源グループを点灯させた場合に得られる上記バックライトの発光強度レベルであることを特徴とする請求項２に記載の表示装置。
【請求項４】
上記点灯パターンは、時間の経過に伴って、発光強度レベルが段階的に減少するパターンであることを特徴とする請求項１から３のいずれか１項に記載の表示装置。
【請求項５】
上記点灯パターンは、時間の経過に伴って、発光強度レベルが段階的に増加するパターンであることを特徴とする請求項１から３のいずれか１項に記載の表示装置。
【請求項６】
液晶パネルとバックライトとを備えた表示装置の制御方法であって、
上記液晶パネルおよび上記バックライトを制御する制御工程を含んでおり、
上記制御工程は、上記液晶パネルの光透過率を変化させている時間帯において、上記バックライトを、第１レベルから第Ｎ（Ｎは２以上の整数）レベルまでのＮ段階の発光強度レベルを有する点灯パターンで点灯させる点灯制御工程をさらに含んでいることを特徴とする表示装置の制御方法。
【発明の詳細な説明】
【技術分野】
【０００１】
本発明の一態様は、液晶パネルとバックライトとを備えた表示装置に関する。
【背景技術】
【０００２】
近年、液晶パネルとバックライトとを備えた表示装置（液晶表示装置）の制御方法（駆動方法）について、様々な提案がなされている。一例として、特許文献１には、ブラックデータ挿入方式を利用した駆動方法が開示されている。特許文献１の技術は、例えば、液晶パネルの見た目の（見かけ上の）応答速度を向上させることを一目的としている。
【先行技術文献】
【特許文献】
【０００３】
【特許文献１】特開２００７−１７９０２７号公報
【発明の概要】
【発明が解決しようとする課題】
【０００４】
本発明の一態様は、従来よりも効果的に液晶パネルの見た目の応答速度を向上させることを目的とする。
【課題を解決するための手段】
【０００５】
上記の課題を解決するために、本発明の一態様に係る表示装置は、液晶パネルと、バックライトと、上記液晶パネルおよび上記バックライトを制御する制御装置と、を備えており、上記制御装置は、上記液晶パネルの光透過率を変化させている時間帯において、上記バックライトを、第１レベルから第Ｎ（Ｎは２以上の整数）レベルまでのＮ段階の発光強度レベルを有する点灯パターンで点灯させる。
【０００６】
また、上記の課題を解決するために、本発明の一態様に係る表示装置の制御方法は、液晶パネルとバックライトとを備えた表示装置の制御方法であって、上記液晶パネルおよび上記バックライトを制御する制御工程を含んでおり、上記制御工程は、上記液晶パネルの光透過率を変化させている時間帯において、上記バックライトを、第１レベルから第Ｎ（Ｎは２以上の整数）レベルまでのＮ段階の発光強度レベルを有する点灯パターンで点灯させる点灯制御工程をさらに含んでいる。
【発明の効果】
【０００７】
本発明の一態様に係る表示装置によれば、従来よりも効果的に液晶パネルの見た目の応答速度を向上させることができる。また、本発明の一態様に係る表示装置の制御方法によっても、同様の効果を奏する。
【図面の簡単な説明】
【０００８】
【図１】実施形態１の表示装置の要部の構成を示す機能ブロック図である。
【図２】図１の表示装置における光源制御信号の生成方法の一例について説明するための図である。
【図３】図１の表示装置においてＢＬ点灯パターンを設定する処理の流れを例示する図である。
【図４】比較例１について説明するための図である。
【図５】比較例２について説明するための図である。
【図６】比較例３について説明するための図である。
【図７】ＱＳフラッシュバックライト方式の第１の例について説明するための図である。
【図８】ＱＳフラッシュバックライト方式の第２の例について説明するための図である。
【図９】実施形態１の一変形例としての表示装置の要部の構成を示す機能ブロック図である。
【図１０】ＱＳフラッシュバックライト方式の第３の例について説明するための図である。
【図１１】ＱＳフラッシュバックライト方式の第４の例について説明するための図である。
【図１２】実施形態４の表示装置の要部の構成を示す機能ブロック図である。
【図１３】ＱＳフラッシュバックライト方式の第５の例について説明するための図である。
【図１４】ＱＳフラッシュバックライト方式の第６の例について説明するための図である。
【発明を実施するための形態】
【０００９】
〔実施形態１〕
以下、実施形態１について説明する。説明の便宜上、実施形態１にて説明した部材と同じ機能を有する部材については、同じ符号を付記し、以降の各実施形態ではその説明を繰り返さない。
【００１０】
図１は、実施形態１の表示装置１の要部の構成を示す機能ブロック図である。表示装置１は、表示制御部１０（制御装置）および表示部２０を備える。図１では、表示制御部１０および表示部２０がそれぞれ１つ（単数）である構成が例示されている。但し、表示制御部１０および表示部２０の少なくともいずれかは、複数（２つ以上）であってもよい。
【００１１】
表示装置１は、可搬型の表示装置であってよい。一例として、表示装置１は、スマートフォンであってよい。あるいは、表示装置１は、ＨＭＤ（Head Mounted Dis play）であってもよいし、その他のウェアラブルデバイスであってもよい。また、表示装置１は、据え置き型の表示装置（例：テレビまたはデスクトップＰＣ（Personal Computer））であってもよい。
【００１２】
表示部２０は、ＬＣＤ（Liquid Crystal Display）２１（液晶パネル）およびバックライト（Back Light，ＢＬ）２２を備える。このことから、表示装置１は、液晶表示装置と称されてもよい。ＬＣＤ２１には、垂直方向（上下方向）および水平方向（左右方向）があらかじめ規定されている。ＬＣＤ２１には、垂直方向および水平方向のそれぞれに沿って、複数の画素（表示素子）が配列されている。つまり、ＬＣＤ２１には、複数の画素がマトリクス状に配列されている。ＬＣＤ２１は、不図示の液晶層を含んでいる。ＬＣＤ２１は、不図示のカラーフィルタを含んでいてもよい。
【００１３】
バックライト２２は、ＬＣＤ２１に光（例：白色光）を照射する。バックライト２２は、ＬＣＤ２１の背面側（ＬＣＤ２１の表示面とは反対側）に、当該ＬＣＤ２１と重なるように配置されている。図１では、説明の便宜上、ＬＣＤ２１とバックライト２２との重なり合いが正確に図示されていないことに留意されたい。
【００１４】
バックライト２２は、複数のＬＥＤ（Light Emitting Diode，発光ダイオード）２２０を、光源として有している。バックライト２２には、ＬＥＤ２２０から発せられた光を拡散する拡散シート（不図示）が設けられてよい。ＬＥＤ２２０の発光強度（例：輝度）を制御することで、バックライト２２の発光面（ＬＣＤ２１の背面に対向する面）の発光強度を制御できる。つまり、バックライト２２の発光状態（点灯状態）を制御できる。バックライト２２のＬＥＤ２２０からＬＣＤ２１に照射される光によって、ＬＣＤ２１の表示面（表示エリア）において、複数の画素によって画像を形成できる。つまり、表示エリアに所望の画像（以下に述べる表示画像）を表示できる。
【００１５】
図１の例では、６個のＬＥＤ２２０はそれぞれ、バックライト２２の下端付近に配置されてよい。但し、ＬＥＤ２２０の数および配置は、図１の例に限定されない。ＬＥＤ２２０の数および配置は、バックライト２２の発光面全体の発光強度を適切に調整できるように設定されていればよい。より具体的には、ＬＥＤ２２０の数および配置は、バックライト２２の発光面を均一に点灯させることができるように設定されていればよい。以下の説明では、「バックライト２２の発光面」を、単に「バックライト２２」とも称する。
【００１６】
複数のＬＥＤ２２０のうち、（ｉ）一部のＬＥＤ２２０はバックライト電源１２２（後述）のＣＨ１（第１系統）に接続されており、（ｉｉ）その他のＬＥＤ２２０はバックライト電源１２２のＣＨ２（第２系統）に接続されている。
【００１７】
以下、ＣＨ１に接続されているＬＥＤ２２０を、ＬＥＤ２２０ａ（第１光源グループ）と称する。また、ＣＨ２に接続されているＬＥＤ２２０を、ＬＥＤ２２０ｂ（第２光源グループ）と称する。図１の例では、ＬＥＤ２２０ａおよびＬＥＤ２２０ｂの数は、それぞれ３つである。但し、ＬＥＤ２２０ａおよびＬＥＤ２２０ｂの数も、これに限定されない。
【００１８】
例えば、ＬＥＤ２２０ａおよびＬＥＤ２２０ｂの数は、３つより少なくてもよいし、あるいは３つより多くてもよい。また、ＬＥＤ２２０ａの数とＬＥＤ２２０ｂの数とは、異なっていてもよい。
【００１９】
図１に示されるように、ＬＥＤ２２０ａとＬＥＤ２２０ｂとはそれぞれ、バックライト電源１２２に並列接続されている。このため、ＬＥＤ２２０ａとＬＥＤ２２０ｂとはそれぞれ、独立して駆動（点灯制御）可能である。
【００２０】
ＬＥＤ２２０ａおよびＬＥＤ２２０ｂはそれぞれ、単独でバックライト２２を均一に点灯させることができるように設けられている。例えば、図１に示されるように、１つのＬＥＤ２２０ａと１つのＬＥＤ２２０ｂとが隣接するように配置されている。このように、ＬＥＤ２２０ａとＬＥＤ２２０ｂとは、バックライト２２の下端付近に、１つずつ交互に配置されている。
【００２１】
当該構成によれば、ＬＥＤ２２０ａを駆動（点灯）させ、ＬＥＤ２２０ｂを停止（消灯）させた場合に、バックライト２２を均一に点灯させることができる。また、ＬＥＤ２２０ａを停止させ、ＬＥＤ２２０ｂを駆動させた場合にも、バックライト２２を均一に点灯させることができる。
【００２２】
表示制御部１０は、表示部２０の各部（ＬＣＤ２１およびバックライト２２）を制御（駆動）する。表示制御部１０は、ＬＣＤ駆動部１１（液晶パネル駆動部）とバックライト駆動部１２とを備える。ＬＣＤ駆動部１１には、表示部２０による表示の対象となる画像のデータ（表示データ）が入力される。以下、表示データによって表される画像を、表示画像とも称する。一例として、表示画像は、動画像を構成する各フレームである。
【００２３】
ＬＣＤ駆動部１１は、ＬＣＤ２１を駆動する。ＬＣＤ駆動部１１は、表示データに基づいて、ＬＣＤ制御信号（液晶パネル制御信号）を生成する。ＬＣＤ制御信号とは、ＬＣＤ２１の表示タイミングを制御する信号（例：電圧信号）である。実施形態１では、ＬＣＤ制御信号は、垂直同期信号（ＶＳＹＮＣ）である。
【００２４】
ＬＣＤ駆動部１１は、ＶＳＹＮＣをＬＣＤ２１に供給する。また、ＬＣＤ駆動部１１は、ＶＳＹＮＣを、バックライト駆動部１２（より具体的には、以下に述べるＰＷＭ信号生成部１２１）にも供給する。実施形態１では、ＬＣＤ２１のリフレッシュレートは、６０Ｈｚであるとする。従って、ＶＳＹＮＣの周期は、１／６０Ｈｚ≒１６．６ｍｓ（ミリ秒）である（後述の図２等を参照）。この場合、ＬＣＤ２１は、フレームレート６０ｆｐｓ（frames per second）の動画像を好適に表示できる。
【００２５】
ＬＣＤ駆動部１１は、表示データに基づいて、ＬＣＤ駆動信号（液晶パネル駆動信号）をさらに生成する。ＬＣＤ駆動信号は、ＬＣＤ２１の各画素の光透過率（より具体的には、各画素に対応する位置の液晶層の光透過率）を制御する信号（例：電圧信号）である。ＬＣＤ駆動部１１は、ＬＣＤ駆動信号をＬＣＤ２１に供給することにより、ＬＣＤ２１に表示画像を表示させることができる。
【００２６】
ＬＣＤ駆動信号は、ＶＳＹＮＣの１周期において、ＬＣＤ２１の最初の画素（例：最も左上の画素）から最後の画素（例：最も右下の画素）まで、順に印加される。実施形態１では、説明の便宜上、ＬＣＤ駆動部１１がＬＣＤ駆動信号をＬＣＤ２１に供給する処理を、「ＬＣＤ駆動」（ＬＣＤ２１の駆動）とも称する。
【００２７】
以下の各図（例：図４等）における凡例「ＬＣＤ駆動」の開始タイミングは、ＬＣＤ駆動信号が、ＬＣＤ２１の最初の画素に印加されるタイミングを示す。また、「ＬＣＤ駆動」の終了タイミングは、ＬＣＤ駆動信号が、ＬＣＤ２１の最後の画素に印加されるタイミングを示す。
【００２８】
バックライト駆動部１２は、バックライト２２（より具体的にはＬＥＤ２２０）を駆動する。バックライト駆動部１２は、ＰＷＭ（Pulse Width Modulation，パルス幅変調）信号生成部１２１およびバックライト電源１２２を備える。
【００２９】
ＰＷＭ信号生成部１２１は、ＶＳＹＮＣ（液晶パネル制御信号）に基づいて、光源制御信号を生成する。光源制御信号とは、バックライト駆動部１２がＬＥＤ２２０を駆動（制御）するための信号（例：電流信号）である。光源制御信号は、バックライト２２を駆動するための信号であると理解されてもよい。このため、光源制御信号は、ＢＬ制御信号（バックライト制御信号）と称されてもよい。
【００３０】
光源制御信号によれば、バックライト２２を、複数の（Ｎ段階の）輝度レベル（発光強度レベル）によって発光させることができる。Ｎは２以上の整数である。一例として、実施形態１では、バックライト２２を、第１輝度レベル（以下、ｂ１）と第２輝度レベル（以下、ｂ２）との２段階の輝度レベルによって発光させる場合を例示する。なお、以下に述べるＢＬ点灯パターンにおいて、複数の輝度レベルには、輝度０（消灯状態）に相当する輝度レベルは含まれないものとする。
【００３１】
ＰＷＭ信号生成部１２１は、ＶＳＹＮＣに基づいて、ＰＷＭ１（第１ＰＷＭ信号）およびＰＷＭ２（第２ＰＷＭ信号）を生成する。実施形態１では、ＰＷＭ１およびＰＷＭ２の両方が、光源制御信号として用いられる。ＰＷＭ１は、ＬＥＤ２２０ａ（第１光源グループ）の発光を制御する信号である。ＰＷＭ２は、ＬＥＤ２２０ｂ（第２光源グループ）の発光を制御する信号である。ＰＷＭ１およびＰＷＭ２によれば、２段階の輝度レベルを実現できる。
【００３２】
（ＢＬ点灯パターンの設定方法の一例）
図２は、ＰＷＭ信号生成部１２１における光源制御信号（ＰＷＭ１およびＰＷＭ２）の生成方法の一例について説明するための図（タイミングチャート）である。以下、図２を参照し、ＢＬ点灯パターンの設定方法の一例について述べる。図２の例では、ＰＷＭ１およびＰＷＭ２はそれぞれ、２値信号（例：１ビットのデジタル信号）であるとする。以下、ＰＷＭ１およびＰＷＭ２はそれぞれ、Ｌｏｗ（例：０）またはＨｉｇｈ（例：１）の２通りの値を取り得るものとする。
【００３３】
バックライト電源１２２は、ＬＥＤ２２０（ＬＥＤ２２０ａおよびＬＥＤ２２０ｂのそれぞれ）を駆動する。バックライト電源１２２は、ＣＨ１を介して、ＬＥＤ２２０ａにＰＷＭ１を供給する。バックライト電源１２２は、ＰＷＭ１に基づいて、ＬＥＤ２２０ａを駆動する。具体的には、バックライト電源１２２は、ＰＷＭ１がＬｏｗの場合、ＬＥＤ２２０ａを消灯させる。他方、バックライト電源１２２は、ＰＷＭ１がＨｉｇｈの場合、ＬＥＤ２２０ａを点灯させる。
【００３４】
同様に、バックライト電源１２２は、ＣＨ２を介して、ＬＥＤ２２０ｂにＰＷＭ２を供給する。バックライト電源１２２は、ＰＷＭ２に基づいて、ＬＥＤ２２０ｂを駆動する。具体的には、バックライト電源１２２は、ＰＷＭ２がＬｏｗの場合、ＬＥＤ２２０ｂを消灯させる。他方、バックライト電源１２２は、ＰＷＭ２がＨｉｇｈの場合、ＬＥＤ２２０ｂを点灯させる。
【００３５】
ＰＷＭ信号生成部１２１には、所定の周期ごとにカウント値を１ずつ加算（カウントアップ）する不図示のカウンタ（COUNTER）が設けられている。カウント値のカウントアップが行われる周期は、ＶＳＹＮＣの周期（１６．６ｍｓ）よりも十分に短い。また、カウント値は、ＶＳＹＮＣがＨｉｇｈからＬｏｗに切り替わる時点（１つのフレーム期間の冒頭）において、０にリセットされる。つまり、カウント値は、ＶＳＹＮＣの周期ごとに０にリセットされる。
【００３６】
ＰＷＭ１およびＰＷＭ２は、カウント値が０にリセットされた時点において、いずれもＬｏｗ（例：０）に設定されている。図２の例では、説明の便宜上、カウント値が０にリセットされた時刻を０（基準時刻）とする。ＰＷＭ信号生成部１２１は、カウント値がＫ（所定の自然数）に到達した場合、ＰＷＭ１およびＰＷＭ２のそれぞれを、ＬｏｗからＨｉｇｈに切り替える。図２の例では、カウント値がＫに到達した時刻を、ｔ１として表す。
【００３７】
続いて、ＰＷＭ信号生成部１２１は、カウント値がＬ（Ｋより大きい所定の自然数）に到達した場合、ＰＷＭ２をＨｉｇｈからＬｏｗへと切り替える。以降、ＰＷＭ信号生成部１２１は、ＰＷＭ２をＬｏｗに維持する。図２の例では、カウント値がＬに到達した時刻を、ｔ２として表す。
【００３８】
他方、ＰＷＭ信号生成部１２１は、カウント値がＭ（Ｌより大きい所定の自然数）に到達するまでは、ＰＷＭ１をＨｉｇｈに維持する。図２の例では、カウント値がＭに到達した時刻を、ｔｎとして表す。ＰＷＭ信号生成部１２１は、カウント値がＭに到達した場合、ＰＷＭ１をＨｉｇｈからＬｏｗへと切り替える。以降、ＰＷＭ信号生成部１２１は、ＰＷＭ１をＬｏｗに維持する。
【００３９】
従って、図２の例では、時刻をｔとすると、
・０≦ｔ＜ｔ１（点灯開始前時間帯）…ＰＷＭ１：Ｌｏｗ、ＰＷＭ２：Ｌｏｗ；
・ｔ１≦ｔ＜ｔ２（第１点灯時間帯）…ＰＷＭ１：Ｈｉｇｈ、ＰＷＭ２：Ｈｉｇｈ；
・ｔ２≦ｔ＜ｔｎ（第２点灯時間帯）…ＰＷＭ１：Ｈｉｇｈ、ＰＷＭ２：Ｌｏｗ；
・ｔｎ≦ｔ≦１６．６ｍｓ（点灯終了後時間帯）…ＰＷＭ１：Ｌｏｗ、ＰＷＭ２：Ｌｏｗ；
として、ＶＳＹＮＣの周期内において、ＰＷＭ１およびＰＷＭ２のそれぞれの値が設定される。また、第１点灯時間帯および第２点灯時間帯を総称して、ＢＬ点灯期間と称する。時刻ｔ１は、ＢＬ点灯期間の開始時点である。また、時刻ｔｎは、ＢＬ点灯期間の終了時点である。
【００４０】
図２の凡例「ＢＬ点灯パターン」に示されるように、点灯開始前時間帯および点灯終了後時間帯では、ＬＥＤ２２０ａおよびＬＥＤ２２０ｂはそれぞれ消灯している。このため、バックライト２２の輝度は０となる。
【００４１】
これに対して、第１点灯時間帯では、ＬＥＤ２２０ａおよびＬＥＤ２２０ｂの両方が点灯している。このため、バックライト２２を、２段階の輝度レベルのうち、最も明るい輝度（第２輝度レベルｂ２）で発光させることができる。また、第２点灯時間帯では、ＬＥＤ２２０ａのみが点灯している。このため、バックライト２２を、２段階の輝度レベルのうち、最も低い輝度（第１輝度レベルｂ１）で発光させることができる。
【００４２】
その結果、ＢＬ点灯期間における輝度レベルの平均値（平均輝度レベルｂｍ）は、第１輝度レベルｂ１よりも大きくなる。なお、Δｔ１２＝ｔ２−ｔ１、Δｔ２ｎ＝ｔｎ−ｔ２、Δｔ１ｎ＝ｔｎ−ｔ１とすると、平均輝度レベルｂｍは、
ｂｍ＝（Δｔ１２×ｂ２＋Δｔ２ｎ×ｂ１）／Δｔ１ｎ
として表される。
【００４３】
以下、図２のＢＬ点灯パターンを、第１ＢＬ点灯パターンと称する。第１ＢＬ点灯パターンでは、
・０≦ｔ＜ｔ１（点灯開始前時間帯）…輝度０；
・ｔ１≦ｔ＜ｔ２（第１点灯時間帯）…第２輝度レベルｂ２；
・ｔ２≦ｔ＜ｔｎ（第２点灯時間帯）…第１輝度レベルｂ１；
・ｔｎ≦ｔ≦１６．６ｍｓ（点灯終了後時間帯）…輝度０；
となる。第１ＢＬパターンでは、ＢＬ点灯期間において、時間の経過に伴って、「ｂ２→ｂ１」の順に、輝度レベルが段階的に小さくなる。
【００４４】
以上のように、ＶＳＹＮＣに基づいてＰＷＭ１およびＰＷＭ２を生成することにより、第１ＢＬ点灯パターンを規定できる。第１ＢＬ点灯パターンは、表示装置１において期待されるＢＬ点灯パターンの一例である（参照：後述の図７）。図２のＢＬ点灯パターンは、ＢＬ点灯期間において、時間の経過に伴って輝度レベルが段階的に減少する例である。以下、図２のＢＬ点灯パターンを、第１ＢＬ点灯パターンと称する。
【００４５】
但し、表示装置１におけるＢＬ点灯パターンは、第１ＢＬ点灯パターンに限定されない。カウンタ値の増加に伴うＰＷＭ１およびＰＷＭ２のそれぞれの値の切り換えを変更することにより、別のＢＬ点灯パターン（例：後述の第２ＢＬ点灯パターン）を規定することもできる。また、３段階以上の輝度レベルを有するＢＬ点灯パターンを規定することもできる（例：後述の第３ＢＬ点灯パターン）。
【００４６】
本発明の一態様に係るＢＬ点灯パターンは、第１輝度レベル（ｂ１）から第Ｎ輝度レベル（ｂＮ）までのＮ段階の輝度レベル（発光強度レベル）を有していればよい。Ｎは、２以上の整数である。また、ｂ１＜ｂ２＜…＜ｂＮであるものとする。つまり、ＢＬ点灯パターンの輝度レベルは、小さい順に、番号が付されているものとする。すなわち、第１輝度レベル（第１レベル）が最小（最低）の輝度レベル（発光強度レベル）であり、第Ｎ輝度レベル（第Ｎレベル）が最大（最高）の輝度レベル（発光強度レベル）であるものとする。実施形態１では、Ｎ＝２の場合を例示する。
【００４７】
（ＢＬ点灯パターン設定の処理の流れ）
図３は、表示装置１においてＢＬ点灯パターンを設定する処理Ｓ１〜Ｓ５の流れを例示するフローチャートである。Ｓ１〜Ｓ５は、総称的に制御工程と称されてもよい。まず、ＬＣＤ駆動部１１は、表示データが入力されたか否かを確認する（Ｓ１）。ＬＣＤ駆動部１１に表示データが入力されていない場合（Ｓ１でＮＯ）、Ｓ１に戻る。
【００４８】
ＬＣＤ駆動部１１に表示データが入力された場合（Ｓ１でＹＥＳ）、ＬＣＤ駆動部１１は、表示データに基づいてＶＳＹＮＣを生成する（Ｓ２）。ＰＷＭ信号生成部１２１は、ＬＣＤ駆動部１１からＶＳＹＮＣを取得し、当該ＶＳＹＮＣに基づいてＰＷＭ１およびＰＷＭ２を生成する（Ｓ３）。また、ＬＣＤ駆動部１１は、表示データに基づいてＬＣＤ駆動信号を生成する。ＬＣＤ駆動部１１は、ＶＳＹＮＣおよびＬＣＤ駆動信号をＬＣＤ２１に供給し、ＬＣＤ２１に表示データを表示させる。
【００４９】
バックライト電源１２２は、ＰＷＭ信号生成部１２１からＰＷＭ１およびＰＷＭ２を取得する。バックライト電源１２２は、（ｉ）ＰＷＭ１に基づきＬＥＤ２２０ａ（第１光源グループ）を駆動し、かつ、（ｉｉ）ＰＷＭ２に基づきＬＥＤ２２０ｂ（第２光源グループ）を駆動する（Ｓ４，点灯制御工程）。例えば、後述するように、バックライト電源１２２は、ＬＣＤ２１の光透過率が変化している時間帯において、バックライト２２を第１ＢＬ点灯パターンで点灯させる。
【００５０】
ＬＣＤ駆動部１１は、ＬＣＤ２１の表示を終了するか否かを確認する（Ｓ５）。ＬＣＤ２１の表示を終了しない場合には（Ｓ５でＮＯ）、Ｓ３に戻る。ＬＣＤ２１の表示を終了する場合には、ＢＬ点灯パターン設定の処理が完了する。
【００５１】
（比較例１）
表示装置１の効果の説明に先立ち、比較例１〜３について述べる。比較例１〜３はそれぞれ、従来のＢＬ駆動方法を示す。図４〜図６はそれぞれ、比較例１〜３について説明するための図（タイミングチャート）である。また、図４等における凡例「液晶応答状態」は、ＬＣＤ２１の光透過率（具体的には、液晶層の光透過率）の時間変化を示す。
【００５２】
はじめに、比較例１について述べる。比較例１は、通常方式（ノーマルドライビング方式）と称されるＢＬ駆動方法の一例を示す。図４に示されるように、ＬＣＤ駆動が完了すると、時間の経過に伴って、液晶層の光透過率が過渡的に増加する。以下、液晶層の光透過率が過渡的に増加している状態を、「液晶層が過渡状態にある」と称する。また、以下では、ＬＣＤ駆動が完了する時刻を、ｔ０とする。以下では、便宜上、ｔ０を基準時刻（時刻０）として説明する。時刻ｔ０は、液晶層の光透過率の変化が開始する時刻とも理解できる。
【００５３】
比較例１では、バックライトが常に点灯（ＯＮ）している。つまり、バックライトの輝度レベルが、常に高（Ｈｉｇｈ）に設定されている。従って、ユーザ（ＬＣＤ２１の表示面の鑑賞者）は、液晶層が過渡状態に遷移したことにより、時間の経過に伴って、表示面の輝度の連続的な変化を視認することになる（参照：図４のＤｒ１）。つまり、ユーザは、液晶層が過渡状態にあることを認識する。その結果、例えば、ユーザが動画像を表示させた場合、または、ユーザが画面をスクロールする動作を行った場合、当該ユーザは、表示面に残像感（afterimage feeling）が生じたと認識する。
【００５４】
（比較例２）
比較例２は、フラッシュバックライト方式と称されるＢＬ駆動方法の一例を示す。フラッシュバックライト方式は、通常方式において生じうる残像感を低減するためのＢＬ駆動方法の１つである。比較例２では、液晶層の応答速度（液晶層の光透過率の時間変化率の絶対値）が、十分に大きい例（理想的なケース）が例示されている。以下では、液晶層の応答速度を、単に「液晶応答速度」とも称する。
【００５５】
フラッシュバックライト方式では、バックライトをパルス的に発光させる。つまり、所定の時間ごとに、バックライトのＯＮ（点灯）／ＯＦＦ（消灯）が切り替えられる。図５の例では、液晶層の光透過率が十分に増加し、ほぼ一定となった（つまり、液晶層が過渡状態を脱し、定常状態に至った）時点で、バックライトがＯＮに切り替えられる。図５の例では、バックライトがＯＮに切り替えられる時刻を、ｔｒ１とする。その後、バックライトは、時刻ｔｎにおいてＯＦＦに切り替えられる。
【００５６】
以下では、簡単のために、液晶層の光透過率を増加させた場合の、定常状態における液晶層の光透過率を１００％とする。また、時刻ｔ０（初期状態）における液晶層の光透過率を０％とする。また、液晶層の応答特性は、一次遅れ系のステップ応答によって表現されるものとする。
【００５７】
図５の凡例「見た目」は、ユーザが視認する表示面の輝度を示す。つまり、「見た目」は、見かけ上の表示面の輝度を示す。図５の例では、液晶層が定常状態に至った時点で、バックライトがＯＮに切り替えられる。このため、液晶層が過渡状態にある時点では、時間の経過に伴う表示面の輝度の連続的な変化は、ユーザによって視認されない。ユーザは、液晶層が定常状態に至った時点から、ＢＬ点灯期間においてのみ、表示面の点灯を視認できる（参照：図５のＤｒ２）。このように、液晶応答速度が十分に大きい場合には、フラッシュバックライト方式によって残像感を好適に低減できる。
【００５８】
（比較例３）
比較例３は、フラッシュバックライト方式の別の例を示す。実際の液晶パネルでは、液晶応答速度が十分に大きいとは限らない。例えば、液晶応答時間（時刻ｔ０から、液晶が定常状態に至るまでの時間）が、動画像の１フレームが表示される時間（すなわち、ＶＳＹＮＣの１周期である１６．６ｍｓ）に比べて、十分に小さくない場合が考えられる。このように、実際には、液晶応答速度が遅い場合が考えられる。比較例３は、液晶応答速度が遅い場合に、フラッシュバックライト方式において生じうる問題点を示す。
【００５９】
図６に示すように、液晶応答速度が遅い場合には、液晶層が定常状態に至る前に（液晶層が過渡状態にある状態で）、バックライトをＯＮに切り替えざるを得ない。バックライトの点灯は、動画像の１フレームが表示される時間内に行われる必要があるためである。その結果、フラッシュバックライト方式を採用した場合にも、通常方式と同様に、ユーザは、時間の経過に伴う表示面の輝度の連続的な変化を視認することになる（参照：図６のＤｒ３）。
【００６０】
つまり、ユーザは、表示面の輝度レベル（階調レベル）が、期待される輝度レベルＬ２よりも十分に小さい時点で、時間の経過に伴う表示面の輝度の連続的な変化を視認することになる。図６の例における輝度レベルＬ２は、液晶層の光透過率が１００％であり、かつ、バックライトがＯＮである場合の、表示面の輝度レベルである。
【００６１】
このように、本願の発明者ら（以下、発明者ら）は、「液晶応答速度が遅い場合には、フラッシュバックライト方式を採用したとしても、バックライトをＯＮした時点において、期待される輝度レベルを得ることができない（例：表示面の輝度レベルを十分に高くすることができない）。それゆえ、残像感を好適に低減するには至らない。」という問題点を新たに見出した。発明者らは、当該問題点を解決するための具体的な構成として、表示装置１を新たに想到した。
【００６２】
（第１の例）
実施形態１におけるＢＬ駆動方法は、フラッシュバックライト方式をさらに改良したものである。このことから、発明者らは、本発明の一態様に係るＢＬ駆動方法を、ＱＳ（Quick Start）フラッシュバックライト方式と称している。以下に述べるように、ＱＳフラッシュバックライト方式によれば、液晶応答速度が遅い場合であっても、残像感を好適に低減することが可能となる。
【００６３】
図７は、ＱＳフラッシュバックライト方式の第１の例について説明するための図（タイミングチャート）である。図７では、第１ＢＬ点灯パターンが用いられている場合を例示する。また、図７においても、図６と同様に、液晶応答速度が遅い場合を例示する。この点は、図８以降についても同様である。
【００６４】
なお、図７では、説明の便宜上、時刻ｔｎ（ＢＬ点灯期間の終了時点）は、次フレームのＶＳＹＮＣの立ち下がりのタイミングと一致するものとする。つまり、図７では、ＶＳＹＮＣの１周期（１６．６ｍｓ）において、点灯終了後時間帯が存在しない場合が例示されている。この点も、図８以降についても同様である。
【００６５】
第１の例における輝度レベルＬ２（期待される輝度レベル）は、液晶層が定常状態に至り、かつ、バックライト２２が平均輝度レベルｂｍで点灯している場合の、表示面の輝度レベルである。また、輝度レベルＬ１（実際の階調レベル）は、時刻ｔ１において、バックライト２２が第２輝度レベルｂ２で点灯している場合の、表示面の輝度レベルである。この点を踏まえると、理想的には、Ｌ２／Ｌ１＝ｂ２／ｂｍが満たされることが好ましい。
【００６６】
第１ＢＬ点灯パターンによれば、「見た目」に示されるように、時刻ｔ１において、表示面の輝度レベルを十分に高くできる。より具体的には、輝度レベルＬ２に近い表示面の輝度レベルをユーザに提供できる。第１点灯時間帯では、バックライト２２は、第２輝度レベルｂ２（平均輝度レベルｂｍよりも高い輝度レベル）で点灯しているためである。時刻ｔ２以降は、時間の経過に伴って液晶の光透過率が増加するにつれて、見た目の輝度レベルも増加する。
【００６７】
このように、第１ＢＬ点灯パターンによれば、時刻ｔ１（バックライト２２をＯＮした時点）において、ほぼ期待される輝度レベルを得ることができる。それゆえ、液晶層が過渡状態にある状態で、バックライトをＯＮに切り替えたとしても、比較例３に比べて、時間の経過に伴うユーザに表示面の輝度の連続的な変化を認識させにくくできる。つまり、ＬＣＤ２１の見た目の応答速度を向上させることができる。
【００６８】
なお、ＢＬ点灯期間の長さΔｔ１ｎ（＝ｔｎ−ｔ１）（つまり、ＢＬ点灯パターン全体のパルス幅）を小さく設定するほど、残像感をより効果的に低減できる。但し、第２輝度レベルｂ２が一定であるとすると、Δｔ１ｎを小さくするにつれて、ユーザが視認できる輝度レベルは低くなる。このため、Δｔ１ｎを小さくする場合には、第２輝度レベルｂ２をより高く設定する必要がある。
【００６９】
但し、ＬＥＤ２２０の定格を考慮すると、第２輝度レベルｂ２はあまり高い値に設定しすぎないことが好ましいと言える。ＬＥＤ２２０の発光強度を高める場合、ＬＥＤ２２０により多くの電流を供給する必要があるので、ＬＥＤ２２０の発熱が顕著となるためである。この点を踏まえると、Δｔ１ｎは、３ｍｓ程度とすることが好ましい。また、第１点灯時間帯の長さΔｔ１２（＝ｔ２−ｔ１）は、１ｍｓ〜１．５ｍｓ程度とすることが好まし。
【００７０】
（第２の例）
図８は、ＱＳフラッシュバックライト方式の第２の例について説明するための図（タイミングチャート）である。図８においても、第１ＢＬ点灯パターンが用いられている。但し、図８では、時間の経過に伴って液晶層の光透過率を減少させた場合を例示する。図８の例では、時刻ｔ０（初期状態）における液晶層の光透過率を１００％とする。但し、定常状態における液晶層の光透過率は０％ではないとする。
【００７１】
第２の例における輝度レベルＬ４（期待される輝度レベル）は、液晶層が定常状態に至り、かつ、バックライト２２が平均輝度レベルｂｍで点灯している場合の、表示面の輝度レベルである。また、輝度レベルＬ３（実際の階調レベル）は、時刻ｔ２において、バックライト２２が第１輝度レベルｂ１で点灯している場合の、表示面の輝度レベルである。この点を踏まえると、理想的には、Ｌ４／Ｌ３＝ｂ１／ｂｍが満たされることが好ましい。
【００７２】
第１ＢＬ点灯パターンによれば、「見た目」に示されるように、時刻ｔ２において、表示面の輝度レベルを十分に低くできる。より具体的には、輝度レベルＬ４に近い表示面の輝度レベルをユーザに提供できる。第２点灯時間帯では、バックライト２２は、第１輝度レベルｂ１（平均輝度レベルｂｍよりも低い輝度レベル）で点灯しているためである。時刻ｔ２以降は、時間の経過に伴って液晶の光透過率が減少するにつれて、見た目の輝度レベルも減少する。
【００７３】
このように、第１ＢＬ点灯パターンによれば、時刻ｔ２（バックライト２２の輝度レベルを減少させた時点）において、ほぼ期待される輝度レベルを得ることができる。それゆえ、第１の例と同様に、時間の経過に伴う表示面の輝度の連続的な変化をユーザに認識させにくくできる。つまり、ＬＣＤ２１の見た目の応答速度を向上させることができる。
【００７４】
（効果）
表示装置１によれば、液晶層が過渡状態にある時間帯において（つまり、液晶層の光透過率を変化させている時間帯において）、バックライト２２を、Ｎ段階の輝度レベルを有するＢＬ点灯パターン（例：第１ＢＬ点灯パターン）で点灯させることができる。すなわち、ＱＳフラッシュバックライト方式によってバックライト２２を駆動できる。それゆえ、上述のように、従来（例：比較例３，フラッシュバックライト方式）よりも効果的にＬＣＤ２１の見た目の応答速度を向上させることが可能となる。
【００７５】
さらに、表示装置１によれば、特許文献１の技術とは異なり、ブラックデータの挿入が不要である。それゆえ、特許文献１の技術に比べて、表示装置の消費電力をより効果的に低減できる。また、画像表示（描画）の高速化にも好適である。
【００７６】
〔変形例〕
図９は、表示装置１の変形例としての表示装置１ｖの要部の構成を示す機能ブロック図である。表示装置１ｖのバックライトを、バックライト２２ｖと称する。バックライト２２ｖは、バックライト２２から、ＬＥＤ２２０ｂ（第２光源グループ）を取り除いた構成である。表示装置１ｖによれば、実施形態１とは異なり、ＬＥＤ２２０ａ（第１光源グループ）のみによって、第１ＢＬ点灯パターンを実現できる。
【００７７】
表示装置１ｖにおいて、ＰＷＭ信号生成部１２１は、ＶＳＹＮＣに基づいて、３値信号としてのＰＷＭ１を生成する。以下の例では、ＰＷＭ１は、Ｌｏｗ（例：−１）、ｍｉｄｄｌｅ（例：０）、またはＨｉｇｈ（例：１）の３通りの値を取り得る。バックライト電源１２２は、ＣＨ１を介して、ＬＥＤ２２０ａにＰＷＭ１を供給する。バックライト電源１２２は、ＰＷＭ１に基づいて、ＬＥＤ２２０ａを駆動する。
【００７８】
具体的には、バックライト電源１２２は、ＰＷＭ１がＬｏｗの場合、ＬＥＤ２２０ａを消灯させる。これに対して、バックライト電源１２２は、ＰＷＭ１がＭｉｄｄｌｅの場合、ＬＥＤ２２０ａを第１の発光強度（第１輝度レベルｂ１に対応する発光強度）で点灯させる。また、バックライト電源１２２は、ＰＷＭ１がＨｉｇｈの場合、ＬＥＤ２２０ａを第２の発光強度（第２輝度レベルｂ２に対応する発光強度）で点灯させる。
【００７９】
表示装置１ｖにおけるＰＷＭ１の生成方法の一例は、以下の通りである。ＰＷＭ信号生成部１２１は、カウント値がＫに到達した場合、ＰＷＭ１を、ＬｏｗからＨｉｇｈに切り替える。続いて、ＰＷＭ信号生成部１２１は、カウント値がＬに到達した場合、ＰＷＭ１をＨｉｇｈからＭｉｄｄｌｅへと切り替える。その後、ＰＷＭ信号生成部１２１は、カウント値がＭに到達した場合、ＰＷＭ１をＭｉｄｄｌｅからＬｏｗへと切り替える。
【００８０】
このように、ＬＥＤ２２０ａをＮ通り（例：２通り）の発光強度で点灯させることによって、Ｎ段階（例：２段階）の発光強度レベルを有するＢＬ点灯パターンを実現することもできる。
【００８１】
〔実施形態２〕
近年、例えば可搬型の表示装置によって、ＶＲ（Virtual Reality，仮想現実）をユーザに提供するための技術が提案されている。ユーザに違和感なくＶＲを体験させるためには、当該表示装置におけるレイテンシーを抑制すること（例：ユーザの体動を検出した時点からの描画の高速化）が効果的である。表示装置１によれば、ＬＣＤ２１の見た目の応答速度を向上させることができる。つまり、表示装置１は、描画の高速化の観点から、ＶＲに好適に用いられる。
【００８２】
一例として、比較例２（図５）における平均輝度レベルと、上述の第１の例（図７）における平均輝度レベルとが、ともに等しい場合を考える。また、比較例２と第１の例とで、液晶応答速度は等しいものとする。なお、比較例２では、平均輝度レベルは、最大輝度レベルに等しい。
【００８３】
図７に示されるように、表示装置１（ＱＳフラッシュバックライト方式）では、時刻ｔ１（つまり、液晶層が定常状態に至る前）に、バックライト２２をＯＮできる。これに対して、図５に示されるように、比較例２（フラッシュバックライト方式）では、残像感を抑制するためには、時刻ｔｒ１（つまり、液晶層が定常状態に至った時点）で、バックライトをＯＮすることが必要であった。
【００８４】
このため、ｔ１＜ｔｒ１である。つまり、時刻ｔ１は、時刻ｔｒ１よりも前の時刻である。表示装置１によれば、従来よりも速く、所定の輝度レベル（平均輝度レベル）を得ることができる。それゆえ、従来よりも描画を高速化できる。このように、表示装置１は、ＶＲを実現する（ＶＲをユーザに提供する）表示装置（例：スマートフォンまたはＨＭＤ）として好適である。
【００８５】
〔実施形態３〕
実施形態３では、ＢＬ点灯期間において、時間の経過に伴って輝度レベルが段階的に増加するＢＬ点灯パターンを例示する（参照：以下に述べる図１０および図１１）。以下、実施形態３のＢＬ点灯パターンを、第２ＢＬ点灯パターンと称する。
【００８６】
第２ＢＬパターンは、図２の例において、（ｉ）第１点灯時間帯において「ＰＷＭ１：Ｈｉｇｈ、ＰＷＭ２：Ｌｏｗ」に設定し、かつ、（ｉｉ）第２点灯時間帯において「ＰＷＭ２：Ｈｉｇｈ、ＰＷＭ２：Ｈｉｇｈ」に設定することにより得られる。
【００８７】
第２ＢＬ点灯パターンでは、
・０≦ｔ＜ｔ１（点灯開始前時間帯）…輝度０；
・ｔ１≦ｔ＜ｔ２（第１点灯時間帯）…第１輝度レベルｂ１；
・ｔ２≦ｔ＜ｔｎ（第２点灯時間帯）…第２輝度レベルｂ２；
・ｔｎ≦ｔ≦１６．６ｍｓ（点灯終了後時間帯）…輝度０；
となる。第２ＢＬパターンでは、ＢＬ点灯期間において、時間の経過に伴って、「ｂ１→ｂ２」の順に、輝度レベルが段階的に大きくなる。
【００８８】
（第３の例）
図１０は、ＱＳフラッシュバックライト方式の第３の例について説明するための図（タイミングチャート）である。第３の例は、第２ＢＬ点灯パターンが使用されているという点で、第１の例と異なる。
【００８９】
第３の例では、輝度レベルＬ１（実際の階調レベル）は、時刻ｔ２において、バックライト２２が第２輝度レベルｂ２で点灯している場合の、表示面の輝度レベルである。第３の例においても、理想的には、Ｌ２／Ｌ１＝ｂ２／ｂｍが満たされることが好ましい。
【００９０】
第２ＢＬ点灯パターンによれば、「見た目」に示されるように、時刻ｔ２において、表示面の輝度レベルを十分に高くできる。より具体的には、輝度レベルＬ２に近い表示面の輝度レベルをユーザに提供できる。第２点灯時間帯では、バックライト２２は、第２輝度レベルｂ２（平均輝度レベルｂｍよりも高い輝度レベル）で点灯しているためである。
【００９１】
第２ＢＬ点灯パターンによれば、時刻ｔ２（バックライト２２の輝度レベルを最大にした時点）において、ほぼ期待される輝度レベルを得ることができる。このように、第２ＢＬ点灯パターンによっても、ＬＣＤ２１の見た目の応答速度を向上させることができる。
【００９２】
（第４の例）
図１１は、ＱＳフラッシュバックライト方式の第４の例について説明するための図（タイミングチャート）である。第４の例は、第２ＢＬ点灯パターンが使用されているという点で、第２の例と異なる。
【００９３】
第４の例では、輝度レベルＬ３（実際の階調レベル）は、時刻ｔ１において、バックライト２２が第１輝度レベルｂ１で点灯している場合の、表示面の輝度レベルである。第４の例においても、理想的には、Ｌ４／Ｌ３＝ｂ１／ｂｍが満たされることが好ましい。
【００９４】
第２ＢＬ点灯パターンによれば、「見た目」に示されるように、時刻ｔ１において、表示面の輝度レベルを十分に低くできる。より具体的には、輝度レベルＬ４に近い表示面の輝度レベルをユーザに提供できる。第１点灯時間帯では、バックライト２２は、第１輝度レベルｂ１（平均輝度レベルｂｍよりも低い輝度レベル）で点灯しているためである。
【００９５】
第２ＢＬ点灯パターンによれば、時刻ｔ１（バックライト２２をＯＮした時点）において、ほぼ期待される輝度レベルを得ることができる。このように、第２ＢＬ点灯パターンによっても、ＬＣＤ２１の見た目の応答速度を向上させることができる。
【００９６】
〔実施形態４〕
図１２は、実施形態４の表示装置２の要部の構成を示す機能ブロック図である。表示装置２のバックライトを、バックライト２２ｗと称する。バックライト２２ｗは、バックライト２２に、ＬＥＤ２２０ｃ（第３光源グループ）およびＬＥＤ２２０ｄ（第４光源グループ）を付加した構成である。
【００９７】
ＬＥＤ２２０ａ〜ＬＥＤ２２０ｄはそれぞれ、バックライト電源１２２に並列接続されている。ＬＥＤ２２０ａ〜ＬＥＤ２２０ｄはそれぞれ、独立して駆動可能である。ＬＥＤ２２０ｃは、バックライト電源１２２のＣＨ３（第３系統）に、ＬＥＤ２２０ｄは、バックライト電源１２２のＣＨ４（第４系統）に接続されている。ＬＥＤ２２０ｃおよびＬＥＤ２２０ｄはそれぞれ、ＬＥＤ２２０ａおよびＬＥＤ２２０ｂと同様に、単独でバックライト２２を均一に点灯させることができるように設けられている。
【００９８】
表示装置２において、ＰＷＭ信号生成部１２１は、ＶＳＹＮＣに基づいて、ＰＷＭ１〜ＰＷＭ４を生成する。実施形態１では、ＰＷＭ１〜ＰＷＭ４が、光源制御信号として用いられる。ＰＷＭ３（第３ＰＷＭ信号）およびＰＷＭ４（第４ＰＷＭ信号）の生成方法は、実施形態１のＰＷＭ１およびＰＷＭ２の生成方法と同様である。
【００９９】
バックライト電源１２２は、ＣＨ３を介して、ＬＥＤ２２０ｃにＰＷＭ３を供給する。バックライト電源１２２は、ＰＷＭ３に基づいて、ＬＥＤ２２０ｃを駆動する。バックライト電源１２２は、ＣＨ４を介して、ＬＥＤ２２０ｄにＰＷＭ４を供給する。バックライト電源１２２は、ＰＷＭ４に基づいて、ＬＥＤ２２０ｄを駆動する。ＬＥＤ２２０ｃ・ＬＥＤ２２０ｄの駆動方法は、実施形態１のＬＥＤ２２０ａ・ＬＥＤ２２０ｂの駆動方法と同様である。
【０１００】
実施形態４では、第１輝度レベルｂ１〜第４輝度レベルｂ４の４段階の輝度レベルを有するＢＬパターンを例示する（参照：以下に述べる図１３および図１４）。以下、実施形態４のＢＬ点灯パターンを、第３ＢＬ点灯パターンと称する。ＰＷＭ１〜ＰＷＭ４によれば、第３ＢＬ点灯パターンを実現できる。
【０１０１】
第３ＢＬ点灯パターンでは、
・０≦ｔ＜ｔ１（点灯開始前時間帯）…輝度０；
・ｔ１≦ｔ＜ｔ２（第１点灯時間帯）…第４輝度レベルｂ４；
・ｔ２≦ｔ＜ｔ３（第２点灯時間帯）…第３輝度レベルｂ３；
・ｔ３≦ｔ＜ｔ４（第３点灯時間帯）…第２輝度レベルｂ２；
・ｔ４≦ｔ＜ｔｎ（第４点灯時間帯）…第１輝度レベルｂ１；
・ｔｎ≦ｔ≦１６．６ｍｓ（点灯終了後時間帯）…輝度０；
となる。第３ＢＬパターンでは、ＢＬ点灯期間において、時間の経過に伴って、「ｂ４→ｂ３→ｂ２→ｂ１」の順に、輝度レベルが段階的に小さくなる。実施形態４では、第１点灯時間帯から第４点灯時間帯までを総称して、ＢＬ点灯期間と称する。時刻ｔ１は、ＢＬ点灯期間の開始時点である。また、時刻ｔｎは、ＢＬ点灯期間の終了時点である。
【０１０２】
第４輝度レベルｂ４は、ＬＥＤ２２０ａ〜ＬＥＤ２２０ｄ（４つの光源グループの全て）が点灯した場合に得られる輝度レベルである。第３輝度レベルｂ３は、ＬＥＤ２２０ａ〜ＬＥＤ２２０ｃ（４つの光源グループのうちの３つ）が点灯した場合に得られる輝度レベルである。
【０１０３】
なお、Δｔ２３＝ｔ３−ｔ２、Δｔ３４＝ｔ４−ｔ３、Δｔ４ｎ＝ｔｎ−ｔ４、とすると、実施形態４における平均輝度レベルｂｍは、
ｂｍ＝（ＡＡ４＋ＡＡ３＋ＡＡ２＋ＡＡ１）／Δｔ１ｎ
として表される。ここで、ＡＡ４＝Δｔ１２×ｂ４、ＡＡ３＝Δｔ２３×ｂ３、ＡＡ２＝Δｔ３４×ｂ２、ＡＡ１＝Δｔ４ｎ×ｂ１である。
【０１０４】
実施形態４では、Δｔ１２（＝ｔ２−ｔ１）は、０．５ｍｓ〜０．８ｍｓ程度であることが好ましい。また、Δｔ１３＝ｔ３−ｔ１とする。Δｔ１４＝ｔ４−ｔ１とする。Δｔ１３は、１ｍｓ〜１．５ｍｓ程度であることが好ましい。Δｔ１４は、２ｍｓ〜２．５ｍｓ程度であることが好ましい。実施形態４においても、Δｔ１ｎは、３ｍｓ程度であることが好ましい。
【０１０５】
（第５の例）
図１３は、ＱＳフラッシュバックライト方式の第３の例について説明するための図（タイミングチャート）である。第５の例は、第３ＢＬ点灯パターンが使用されているという点で、第１の例と異なる。
【０１０６】
第３の例では、輝度レベルＬ１（実際の階調レベル）は、時刻ｔ１において、バックライト２２が第４輝度レベルｂ４で点灯している場合の、表示面の輝度レベルである。第４の例においては、理想的には、Ｌ２／Ｌ１＝ｂ４／ｂｍが満たされることが好ましい。
【０１０７】
第３ＢＬ点灯パターンによれば、「見た目」に示されるように、時刻ｔ１において、表示面の輝度レベルを十分に高くできる。第１点灯時間帯では、バックライト２２ｗは、第４輝度レベルｂ４（平均輝度レベルｂｍよりも高い輝度レベル）で点灯しているためである。第３ＢＬ点灯パターンによっても、ＬＣＤ２１の見た目の応答速度を向上させることができる。
【０１０８】
（第６の例）
図１４は、ＱＳフラッシュバックライト方式の第６の例について説明するための図（タイミングチャート）である。第４の例は、第３ＢＬ点灯パターンが使用されているという点で、第２の例と異なる。
【０１０９】
第６の例では、輝度レベルＬ３（実際の階調レベル）は、時刻ｔ４において、バックライト２２が第１輝度レベルｂ１で点灯している場合の、表示面の輝度レベルである。第６の例においても、理想的には、Ｌ４／Ｌ３＝ｂ１／ｂｍが満たされることが好ましい。
【０１１０】
第３ＢＬ点灯パターンによれば、「見た目」に示されるように、時刻ｔ４において、表示面の輝度レベルを十分に低くできる。第４点灯時間帯では、バックライト２２ｗは、第１輝度レベルｂ１（平均輝度レベルｂｍよりも低い輝度レベル）で点灯しているためである。
【０１１１】
第２ＢＬ点灯パターンによれば、時刻ｔ１（バックライト２２をＯＮした時点）において、ほぼ期待される輝度レベルを得ることができる。第３ＢＬ点灯パターンによっても、ＬＣＤ２１の見た目の応答速度を向上させることができる。
【０１１２】
（補足）
以上のように、Ｎ段階の輝度レベルを有するＢＬ点灯パターンを得るためには、光源（ＬＥＤ２２０）を、第１光源グループから第Ｎ光源グループまでのＮ通りの光源グループに区分すればよい。Ｎ通りの光源グループはそれぞれ、バックライトを均一に点灯させるように配置されているものとする。
【０１１３】
第Ｋ光源グループ（Ｋは、１≦Ｋ≦Ｎを満たす整数）は、バックライト電源１２２のＣＨＫ（第Ｋ系統）に接続されている。つまり、Ｎ通りの光源グループはそれぞれ、バックライト電源１２２に並列接続されている。従って、Ｎ通りの光源グループはそれぞれ、独立して駆動可能である。バックライト電源１２２は、ＣＨＫを介して、第Ｋ光源グループにＰＷＭＫ（第ＫＰＷＭ信号）を供給する。第Ｋ光源グループは、ＰＷＭＫによって駆動される。
【０１１４】
上記の構成において、第１輝度レベルｂ１（Ｎ段階のうちの最低の輝度レベル）は、Ｎ通りの光源グループのうちの所定の１つの光源グループ（例：第１光源グループ）のみを点灯させた場合のバックライトの輝度レベルとなる。一例として、Ｎ通りの光源グループのそれぞれの発光強度が等しい場合には、所定の１つの光源グループとしては、任意の１つの光源具プールが選択されてよい。他方、Ｎ通りの光源グループのそれぞれの発光強度が異なる場合には、所定の１つの光源グループとしては、最も発光強度が低い光源グループが選択されればよい。
【０１１５】
また、第Ｎ輝度レベルｂＮ（Ｎ段階のうちの最高の輝度レベル）は、Ｎ通りの光源グループのうちの全ての光源グループ（第１光源グループから第Ｎ光源グループまでの全ての光源グループ）を点灯させた場合に得られるバックライトの輝度レベルである。
【０１１６】
〔変形例〕
実施形態１の表示装置１を用いて、第３ＢＬ点灯パターンを実現することもできる。例えば、表示装置１ｖと同様に、ＬＥＤ２２０ａおよびＬＥＤ２２０ｂのそれぞれを、２通りの発光強度で点灯させることによって、第３ＢＬ点灯パターン（４段階の発光強度を有するＢＬ点灯）パターンを実現できる。
【０１１７】
〔ソフトウェアによる実現例〕
表示装置１・１ｖ・２の制御ブロック（特に表示制御部１０）は、集積回路（ＩＣチップ）等に形成された論理回路（ハードウェア）によって実現してもよいし、ソフトウェアによって実現してもよい。
【０１１８】
後者の場合、表示装置１・１ｖ・２は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の一態様の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１１９】
〔まとめ〕
本発明の態様１に係る表示装置（１）は、液晶パネル（ＬＣＤ２１）と、バックライト（２２）と、上記液晶パネルおよび上記バックライトを制御する制御装置（表示制御部１０）と、を備えており、上記制御装置は、上記液晶パネルの光透過率を変化させている時間帯において、上記バックライトを、第１レベル（例：第１輝度レベルｂ１）から第Ｎ（Ｎは２以上の整数）レベル（例：第Ｎ輝度レベルｂＮ）までのＮ段階の発光強度レベル（例：輝度レベル）を有する点灯パターン（ＢＬ点灯パターン）で点灯させる。
【０１２０】
上記の構成によれば、上述のＱＳフラッシュバックライト方式によってバックライトを駆動できる。それゆえ、従来のフラッシュバックライト方式とは異なり、液晶パネルの応答速度が遅い場合にも、当該液晶パネルの見た目の（見かけ上の）応答速度を向上させることができる。すなわち、従来よりも効果的に液晶パネルの見た目の応答速度を向上させることが可能となる。
【０１２１】
本発明の態様２に係る表示装置では、上記態様１において、上記バックライトは、当該バックライトを均一に点灯させるように配置された複数の光源（ＬＥＤ２２０）を有しており、上記制御装置は、上記液晶パネルの表示タイミングを制御する液晶パネル制御信号（例：ＶＳＹＮＣ）に基づいて、上記複数の光源を制御する光源制御信号（例：ＰＷＭ１およびＰＷＭ２）を生成し、上記制御装置は、上記光源制御信号に基づいて上記複数の光源を点灯させることにより、上記バックライトを上記点灯パターンで点灯させてよい。
【０１２２】
上記の構成によれば、液晶パネル制御信号に基づいてＢＬ点灯パターンを規定できる。
【０１２３】
本発明の態様３に係る表示装置では、上記態様２において、上記複数の光源は、上記バックライトを均一に点灯させるようにそれぞれ配置された第１光源グループ（例：ＬＥＤ２２０ａ）から第Ｎ光源グループ（例：第２光源グループ，ＬＥＤ２２０ｂ）までのＮ通りの光源グループに区分され、上記第１レベルを、Ｎ段階のうちの最低の発光強度レベルとして、上記第Ｎレベルを、Ｎ段階のうちの最高の発光強度レベルとして、上記第１レベルは、Ｎ通りの光源グループのうちの所定の１つの光源グループのみを点灯させた場合の上記バックライトの発光強度レベルであり、上記第Ｎレベルは、Ｎ通りの光源グループのうちの全ての光源グループを点灯させた場合に得られる上記バックライトの発光強度レベルであってよい。
【０１２４】
上記の構成によれば、Ｎ通りの光源グループを設けることによって、ＢＬ点灯パターンを実現できる。
【０１２５】
本発明の態様４に係る表示装置では、上記態様１から３のいずれか１つにおいて、上記点灯パターンは、時間の経過に伴って、発光強度レベルが段階的に減少するパターンであってよい。
【０１２６】
上記の構成によれば、液晶パネルの光透過率の増加または減少に伴って、発光強度レベルを段階的に減少させることができる（例えば、図７・図８を参照）。その結果、液晶パネルの見た目の応答速度を向上させることができる。
【０１２７】
本発明の態様５に係る表示装置では、上記態様１から３のいずれか１つにおいて、上記点灯パターンは、時間の経過に伴って、発光強度レベルが段階的に増加するパターンであってもよい。
【０１２８】
上記の構成によれば、液晶パネルの光透過率の増加または減少に伴って、発光強度レベルを段階的に増加させることができる（例えば、図１０・図１１を参照）。その結果、液晶パネルの見た目の応答速度を向上させることができる。
【０１２９】
本発明の態様６に係る表示装置の制御方法は、液晶パネルとバックライトとを備えた表示装置の制御方法であって、上記液晶パネルおよび上記バックライトを制御する制御工程を含んでおり、上記制御工程は、上記液晶パネルの光透過率を変化させている時間帯において、上記バックライトを、第１レベルから第Ｎ（Ｎは２以上の整数）レベルまでのＮ段階の発光強度レベルを有する点灯パターンで点灯させる点灯制御工程をさらに含んでいる。
【０１３０】
〔付記事項〕
本発明の一態様は上述した各実施形態に限定されるものではなく、請求項に示した範囲で種々の変更が可能であり、異なる実施形態にそれぞれ開示された技術的手段を適宜組み合わせて得られる実施形態についても本発明の一態様の技術的範囲に含まれる。さらに、各実施形態にそれぞれ開示された技術的手段を組み合わせることにより、新しい技術的特徴を形成できる。
【符号の説明】
【０１３１】
１、１ｖ、２  表示装置
１０  表示制御部（制御装置）
１１  ＬＣＤ駆動部
１２  バックライト駆動部
２０  表示部
２１  ＬＣＤ（液晶パネル）
２２、２２ｖ、２２ｗ  バックライト
１２１  ＰＷＭ信号生成部
１２２  バックライト電源
２２０  ＬＥＤ（光源）
２２０ａ  ＬＥＤ（第１光源グループ）
２２０ｂ  ＬＥＤ（第２光源グループ，第Ｎ光源グループ）
２２０ｄ  ＬＥＤ（第４光源グループ，第Ｎ光源グループ）
ｂ１  第１輝度レベル（第１レベル）
ｂ２  第２輝度レベル（第２レベル，第Ｎレベル）
ｂ４  第４輝度レベル（第４レベル，第Ｎレベル）
ｂＮ  第Ｎ輝度レベル（第Ｎレベル）
ｂｍ  平均輝度レベル
ＶＳＹＮＣ  垂直同期信号（液晶パネル制御信号）
ＰＷＭ１〜ＰＷＭ４  光源制御信号
【図１】
2019101368.tif 000003
【図２】
2019101368.tif 000004
【図３】
2019101368.tif 000005
【図４】
2019101368.tif 000006
【図５】
2019101368.tif 000007
【図６】
2019101368.tif 000008
【図７】
2019101368.tif 000009
【図８】
2019101368.tif 000010
【図９】
2019101368.tif 000011
【図１０】
2019101368.tif 000012
【図１１】
2019101368.tif 000013
【図１２】
2019101368.tif 000014
【図１３】
2019101368.tif 000015
【図１４】
2019101368.tif 000016